(57)【要約】【課題】アナログ放送信号やノイズ信号等による誤判定を防止し、デジタル放送波の有無を精度よく判定し、しかも効率よく高速で判定すること。【解決手段】チューナと、ＩＱ復調部と、ＡＧＣ制御回路と、ＧＩ除去回路と、モード判定回路と、ＡＦＣ回路と、ＦＦＴ回路と、ＯＦＤＭフレームデコード部と、ＴＭＣＣ再生回路と、放送波判定回路と、ＣＰＵから構成されるデジタル放送受信装置であって、ＡＧＣ制御回路はＡＧＣレベル信号を生成して出力し、モード判定回路はモード判定結果信号を生成して出力し、ＡＦＣ回路は周波数同期検出信号を生成して出力し、ＴＭＣＣ再生回路はＴＭＣＣフレーム同期検出信号を生成して出力し、放送波判定回路はＡＧＣレベル信号とモード判定結果信号と周波数同期検出信号とＴＭＣＣフレーム同期検出信号を用いて、デジタル放送波が受信出来たかどうかを判定し、放送波検出信号としてＣＰＵへ出力する。【選択図】図１
2008109694.tif 000002
【特許請求の範囲】
【請求項１】
放送波を受信する受信手段と、
前記放送波の受信レベルを検出する受信レベル検出手段と、
前記放送波を復調する復調手段と、
少なくとも第１のサーチモードと第２のサーチモードの切り換えが可能な切換手段とを設け、
前記第１のサーチモードは、前記受信レベル検出手段によって検出された受信レベルに基づいてチャンネル周波数のサーチを実行し、前記第２のサーチモードは、前記復調手段によって復調された信号に基づいてチャンネル周波数のサーチを実行することを特徴とするデジタル放送受信装置。
【請求項２】
放送波を受信する受信手段と、
前記放送波の受信レベルを検出する受信レベル検出手段と、
前記放送波に含まれるＴＭＣＣ信号を検出するＴＭＣＣ信号検出手段と、
少なくとも第１のサーチモードと第２のサーチモードの切り換えが可能な切換手段とを設け、
前記第１のサーチモードは、前記受信レベル検出手段によって検出された受信レベルが予め定められたレベルよりも低い場合に、別のチャンネル周波数のサーチに移行し、前記第２のサーチモードは、前記ＴＭＣＣ信号検出手段によって検出されたＴＭＣＣ信号に基づいてフレーム同期がとれなかった場合に、別のチャンネル周波数のサーチに移行することを特徴とするデジタル放送受信装置。
【請求項３】
前記第１のサーチモードは、少なくとも前記受信レベルが予め定められたレベルより高い場合にデジタル放送波と判断し、
前記第２のサーチモードは、少なくとも前記ＴＭＣＣ信号に基づいてフレーム同期がとれた場合にデジタル放送波と判断することを特徴とする請求項２に記載のデジタル放送受信装置。
【請求項４】
デジタル放送波と判断されたチャンネル周波数を記憶する記憶手段を有し、
前記記憶手段に記憶されたチャンネル周波数をスキップしてサーチを行う第３のサーチモードを備えることを特徴とする請求項３に記載のデジタル放送受信装置。
【請求項５】
前記デジタル放送受信装置の移動を判断する判断手段を有し、
前記デジタル放送受信装置が移動していると判断される場合は、前記第２のサーチモードでチャンネル周波数のサーチを行うことを特徴とする請求項２に記載のデジタル放送受信装置。
【請求項６】
前記第１のサーチモードにおける受信レベルの判定と、前記第２のサーチモードにおけるフレーム同期の判定とを、所定時間内に繰り返し実行することを特徴とする請求項２に記載のデジタル放送受信装置。
【発明の詳細な説明】
【技術分野】
【０００１】
本発明は、デジタル放送受信装置に関し、特に、各周波数帯域において受信可能な放送があるかどうかを調べるチャンネルサーチを行うデジタル放送受信装置に関する。
【背景技術】
【０００２】
デジタル放送受信装置において、ある周波数のチャンネルに受信可能な放送波が有るかどうかの判定に、放送波信号に含まれるＴＭＣＣ(Transmission and Multiplexing Configuration Control)信号を用いることが、従来から知られている。ＴＭＣＣフレーム同期信号は、チューナで同調してから復調回路でＴＭＣＣの同期がとれて完了し検出できるまでの時間が長く掛かり、その時間はＴＭＣＣ同期がとれる平均値では無く、最大値の時間待ちを必要とするため、放送波が無いと判定するには、ＴＭＣＣ同期に掛かる時間の最大値を待つ必要があるので、放送波の有無の判定に時間を要し、全てのチャンネルをサーチする際には時間が掛かるという欠点があった。
【０００３】
この欠点を改善した自動選局装置は、既に知られている(例えば、特許文献１参照)。この自動選局装置では、放送波の有無の判定に、受信部で検出した放送波信号の受信レベルとノイズレベルを用いて、受信レベルが所定レベル以上で無ければ放送波は無いと判定し、又、受信レベルが所定レベル以上であっても、ノイズレベルが一定以下に下がらない場合は、放送波は無いと判定している。
【０００４】
また、前記欠点を改善したＯＦＤＭ(直交周波数分割多重)方式の受信装置も知られている(例えば、特許文献２参照)。ＯＦＤＭ受信装置は、地上波デジタル放送波のＯＦＤＭ受信信号に、伝送モード(伝送シンボル長モード)とガードインターバル(ガード期間)について複数の組み合わせが存在し、復調の際にこの伝送モードの検出を行う必要がある。前記ＯＦＤＭ受信装置では、ＯＦＤＭ受信信号の伝送モード検出が一定期間内に検出出来ない場合には受信不可能である旨の信号を出力するようにし、チャンネルサーチ時に受信装置でこれを使用することにより高速にチャンネルスキップ出来るようにしている。
【０００５】
【特許文献１】特開平１１−６８５１９号公報
【０００６】
【特許文献２】特開２００１−３１３６２２号公報
【発明の開示】
【発明が解決しようとする課題】
【０００７】
しかし、前者の自動選局装置では、放送波にアナログとデジタルの放送波が混在していた場合には、アナログ放送信号の存在する周波数で、誤ってデジタルの放送波があると誤判定してしまう可能性がある。又、受信レベルとノイズレベルのみでは、デジタル放送波の有る無しを判定するには、精度が不足してしまうという問題があった。
【０００８】
又、後者のＯＦＤＭ受信装置では、伝送モードによる判定のみで判定する場合においては、デジタル放送波が無い場合においても、アナログ放送信号やノイズ信号等により、放送波有りと誤判定してしまう可能性がある。そして、誤判定した場合には、その後復調処理を継続して行い、放送波の有り無しの判定は、ＴＭＣＣフレーム同期がとれるまで待たなければならず、全てのチャンネルをサーチする際には時間が掛かるという問題があった。
【０００９】
本発明は、前記課題に鑑みてなされたものであり、アナログ放送信号やノイズ信号等による誤判定を防止し、デジタル放送波の有無を精度よく判定し、しかも効率よく高速で判定することを目的とする。
【課題を解決するための手段】
【００１０】
上記目的を達成するために、請求項１の記載に係る発明は、放送波を受信する受信手段と、前記放送波の受信レベルを検出する受信レベル検出手段と、前記放送波を復調する復調手段と、少なくとも第１のサーチモードと第２のサーチモードの切り換えが可能な切換手段とを設け、前記第１のサーチモードは、前記受信レベル検出手段によって検出された受信レベルに基づいてチャンネル周波数のサーチを実行し、前記第２のサーチモードは、前記復調手段によって復調された信号に基づいてチャンネル周波数のサーチを実行することを特徴とする。
【００１１】
請求項２の記載に係る発明は、放送波を受信する受信手段と、前記放送波の受信レベルを検出する受信レベル検出手段と、前記放送波に含まれるＴＭＣＣ信号を検出するＴＭＣＣ信号検出手段と、少なくとも第１のサーチモードと第２のサーチモードの切り換えが可能な切換手段とを設け、前記第１のサーチモードは、前記受信レベル検出手段によって検出された受信レベルが予め定められたレベルよりも低い場合に、別のチャンネル周波数のサーチに移行し、前記第２のサーチモードは、前記ＴＭＣＣ信号検出手段によって検出されたＴＭＣＣ信号に基づいてフレーム同期がとれなかった場合に、別のチャンネル周波数のサーチに移行することを特徴とする。
【００１２】
請求項３の記載に係る発明は、請求項２に記載のデジタル放送受信装置において、前記第１のサーチモードは、少なくとも前記受信レベルが予め定められたレベルより高い場合にデジタル放送波と判断し、前記第２のサーチモードは、少なくとも前記ＴＭＣＣ信号に基づいてフレーム同期がとれた場合にデジタル放送波と判断することを特徴とする。
【００１３】
請求項４の記載に係る発明は、請求項３に記載のデジタル放送受信装置において、デジタル放送波と判断されたチャンネル周波数を記憶する記憶手段を有し、前記記憶手段に記憶されたチャンネル周波数をスキップしてサーチを行う第３のサーチモードを備えることを特徴とする。
【００１４】
請求項５の記載に係る発明は、請求項２に記載のデジタル放送受信装置において、前記デジタル放送受信装置の移動を判断する判断手段を有し、前記デジタル放送受信装置が移動していると判断される場合は、前記第２のサーチモードでチャンネル周波数のサーチを行うことを特徴とする。
【００１５】
請求項６の記載に係る発明は、請求項２に記載のデジタル放送受信装置において、前記第１のサーチモードにおける受信レベルの判定と、前記第２のサーチモードにおけるフレーム同期の判定とを、所定時間内に繰り返し実行することを特徴とする。
【発明の効果】
【００１６】
本発明によれば、サーチ速度に優れた第１のサーチモードとサーチ精度に優れた第２のサーチモードを状況に応じて使い分けることができる。
【発明を実施するための最良の形態】
【００１７】
本発明のデジタル放送受信装置を、図１〜図９を用いて説明する。図１は本発明のデジタル放送受信装置の構成を、図２は放送波判定回路の構成を、図３は第１実施例のチャンネルサーチ処理３００のフローチャート(その１)を、図４はチャンネルサーチ処理３００のフローチャート(その２)を、図５はサーチモードの設定(１)のメニュー画面の表示例を、図６はサーチモードの設定(２)のメニュー画面の表示例を、図７は第２実施例のチャンネルサーチ処理４００のフローチャート(その１)を、図８はチャンネルサーチ処理４００のフローチャート(その２)を、図９はサーチモードの設定(３)のメニュー画面の表示例を、夫々示す図である。
【００１８】
図１において、本発明のデジタル放送受信装置は、チューナ１と、Ａ／Ｄコンバータ(アナログ／デジタル変換)２と、ＩＱ復調部３と、ＡＧＣ制御回路４と、ＧＩ(ガードインターバル)除去回路５と、モード判定回路６と、ＡＦＣ回路７と、ＦＦＴ回路８と、同期再生回路９と、ＯＦＤＭフレームデコード部１０と、ＴＭＣＣ再生回路１１と、放送波判定回路１２と、ＣＰＵ１３から構成される。
【００１９】
チューナ１は、アンテナで受信したデジタル放送波のＲＦ信号を入力し、ＲＦ信号から希望の受信周波数帯を選局し、中間周波信号(ＩＦ信号)として、出力するものである。チューナ１では、ＡＧＣ制御回路４からのＡＧＣ制御信号のレベルに基づいて、内蔵するアンプにより受信信号を増幅する。
【００２０】
Ａ／Ｄコンバータ２は、チューナ１から出力されたＩＦ信号(アナログ信号)を入力し、アナログ／デジタル変換して、デジタル信号としてＩＱ復調部３及びＡＧＣ制御回路４へ出力するものである。
【００２１】
ＩＱ復調部３は、Ａ／Ｄコンバータ２から出力されたデジタル信号を、Ｉ信号、Ｑ信号の複素ベースバンド信号に変換し、その出力信号をＧＩ除去回路５へ出力すると共に、複素ベースバンド信号をモード判定回路６へ出力するものである。
【００２２】
ＡＧＣ制御回路４は、Ａ／Ｄコンバータ２から出力されるデジタル信号レベルに基づいてＡＧＣ制御信号を作成し、チューナ１が内蔵するアンプに与えて、チューナ１の出力信号のレベルを最適なレベルに制御するものである。又、前記ＡＧＣ制御信号を電圧信号に変換し、ＡＧＣレベル信号ａとして出力するものである。ＡＧＣレベル信号ａは、例えば０Ｖ〜３．３Ｖであり、３．３Ｖの時受信レベルが最小に対応するように設定される。
【００２３】
ＧＩ除去回路５は、ＩＱ復調部３の出力信号からガードインターバル部分を除去して、有効シンボル期間の信号を取り出し、ＡＦＣ回路７へ出力するものである。
【００２４】
モード判定回路６は、ＯＦＤＭ信号のガードインターバルの信号を利用して、１シンボル遅延した信号との相関を検出し、さらにガード期間内の移動平均により、相関振幅波形を算出する等の方法を用いて、ＯＦＤＭ信号の伝送モード(２Ｋ、４Ｋ、８Ｋ)とガードインターバル(１／４、１／８、１／１６、１／３２)がどの値で伝送されているかを判別する回路である。モード判定回路６からはモード判定結果信号ｂを出力する。モード判定結果信号ｂは、例えば、モード判定が完了した場合には“Ｈ”を出力し、モード判定が終了していない場合には“Ｌ”を出力するように設定される。
【００２５】
ＡＦＣ回路７は、チューナ１で生じた周波数オフセットを補正するもので、チューナ１からのＩＦ信号の中心を検出して内部のＰＬＬを合わせこむ回路である。ＡＦＣ回路７からは周波数同期検出信号ｃを出力する。周波数同期検出信号ｃは、ＩＦ信号の中心を検出したことを判別する信号であり、例えば、周波数同期検出が完了した場合には“Ｈ”を、完了していない場合には“Ｌ”を出力するように設定される。
【００２６】
ＦＦＴ回路８は、有効シンボル期間の信号を、高速フーリエ変換により、時間軸方向の信号から周波数軸方向の周波数に変換した後、ＯＦＤＭフレームデコード部１０に出力するものである。
【００２７】
同期再生回路９は、送信側のサンプリングタイミング周期に、内部の回路の動作を精度よく一致させるものである。同期再生回路９からはタイミング同期検出信号ｄを出力する。タイミング同期検出信号ｄは、例えば、タイミング同期検出が完了した場合には“Ｈ”を、完了していない場合には“Ｌ”を出力するように設定される。
【００２８】
ＯＦＤＭフレームデコード部１０は、ＯＦＤＭ信号のＴＭＣＣに含まれる同期ワードにより、フレーム同期を検出するものである。
【００２９】
ＴＭＣＣ再生回路１１は、ＯＦＤＭフレームデコード部１０で検出したＯＦＤＭ信号から、その信号に含まれているＴＭＣＣ信号を復調する回路であり、ＴＭＣＣフレーム同期検出信号ｅを出力する。ＴＭＣＣフレーム同期検出信号ｅは、例えば、ＴＭＣＣ信号の復調が完了していない場合には“Ｌ”を、完了した場合には“Ｈ”を出力するように設定される。
【００３０】
図２は、放送波判定回路１２の構成を示す図である。
【００３１】
図２において、放送波判定回路１２は、放送波判定部２０と、レベル判定回路２１と、モード判定結果回路２２と、周波数同期判定回路２３と、ＴＭＣＣフレーム同期判定回路２５と、レベル判定用タイマー２６と、モード判定用タイマー２７と、周波数同期判定用タイマー２８と、ＴＭＣＣフレーム同期判定用タイマー３０と、レベル判定接続切り替え部３１と、モード判定接続切り替え部３２と、周波数同期判定接続切り替え部３３から構成される。放送波判定回路１２は、ＡＧＣレベル信号ａ、モード判定結果信号ｂ、周波数同期検出信号ｃ、(タイミング同期検出信号ｄ)．ＴＭＣＣフレーム同期検出信号ｅを入力し、図３、図４に示すチャンネルサーチ処理３００、４００を行い、サーチ選局の結果を放送波検出信号ｇとして出力するものである。放送波検出信号ｇは、例えば、選局開始時に“Ｌ”を出力し、サーチ選局が成功した時は“Ｌ”の出力を継続し、サーチ選局が失敗と判定した時点にて“Ｈ”を出力するように設定される。
【００３２】
なお、サーチ選局の判定条件としてタイミング同期検出信号ｄを使用し、タイミング同期判定を行う場合には、周波数同期判定回路２３の代りにタイミング同期判定回路２４(図示してない)が、周波数同期判定用タイマー２８の代りにはタイミング同期判定用タイマー２９(図示してない)が、そして周波数同期判定接続切り替え部３３の代りにはタイミング同期判定接続切り替え部３４(図示してない)が、それぞれ構成要素となる。
【００３３】
放送波判定部２０は、レベル判定回路２１からのレベル判定信号ｆと、モード判定結果回路２２からのモード判定結果信号ｂと、周波数同期判定回路２３からの周波数同期検出信号ｃと、ＴＭＣＣフレーム同期判定回路２５からのＴＭＣＣフレーム同期検出信号ｅと、レベル判定用タイマー２６、モード判定用タイマー２７、周波数同期判定用タイマー２８、ＴＭＣＣフレーム同期判定用タイマー３０夫々からのタイムアウト信号を用い、図３、図４に示すフローチャートのチャンネルサーチ処理３００、４００の動作を行い、サーチ選局の結果を放送波検出信号ｇとして出力する。又、ユーザの操作に基づき、ＣＰＵ１３から送られて来た放送判定回路制御信号により、レベル判定回路２１の判定用所定レベルＮを設定し、レベル判定用タイマー２６、モード判定用タイマー２７、周波数同期判定用タイマー２８、ＴＭＣＣフレーム同期判定用タイマー３０夫々のタイムアウト時間を設定し、レベル判定接続切り替え部３１、モード判定接続切り替え部３２、周波数同期判定接続切り替え部３３を切り替えて、サーチ選局の判定条件を決定する。
【００３４】
レベル判定回路２１は、ＡＧＣレベル信号ａの大きさを判定し、その結果をレベル判定信号ｆとして出力する。即ち、ＡＧＣレベル信号ａが所定レベルＮより小さい(受信した放送波が所定レベルより大きく、受信可能なレベル)か否かを判定し、ＡＧＣレベル信号ａが所定レベルＮより小さい場合に、レベル判定信号ｆを“Ｈ”として出力し、するように、ＡＧＣレベル信号ａが所定レベルＮより大きい場合に、“Ｌ”を出力するように設定される。
【００３５】
モード判定結果回路２２は、モード判定回路６からのモード判定結果信号ｂをそのまま出力する。
【００３６】
又、レジスタを備え、モード判定の結果をレジスタに記録しておき、外部よりレジスタをリードすることも可能。
【００３７】
周波数同期判定回路２３は、ＡＦＣ回路７からの周波数同期検出信号ｃをそのまま出力する。
【００３８】
又、レジスタを備え、周波数同期状態を記録しておき、外部よりレジスタをリードすることも可能。
【００３９】
ＴＭＣＣフレーム同期判定回路２５は、ＴＭＣＣ再生回路１１からのＴＭＣＣフレーム同期検出信号ｅをそのまま出力する。
【００４０】
又、レジスタを備え、ＴＭＣＣ同期状態を記録しておき、外部よりレジスタをリードすることも可能。
【００４１】
レベル判定用タイマー２６は、サーチ選局の判定条件としてＡＧＣレベル信号ａを使用する場合の判定時間を、その判定処理に見合った時間に設定する。例えば１００ｍｓに設定する。その場合、レベル判定用タイマー２６は、最初“Ｌ”を出力し、１００ｍｓ経過後に“Ｈ”を出力する。
【００４２】
モード判定用タイマー２７は、サーチ選局の判定条件としてモード判定結果信号ｂを使用する場合の判定時間を、その判定処理に見合った時間に設定する。例えば１００ｍｓに設定する。
【００４３】
周波数同期判定用タイマー２８は、サーチ選局の判定条件として周波数同期検出信号ｃを使用する場合の判定時間を、その判定処理に見合った時間に設定する。
【００４４】
ＴＭＣＣフレーム同期判定用タイマー３０は、サーチ選局の判定条件としてＴＭＣＣフレーム同期検出信号ｅを使用する場合の判定時間を、その判定処理に見合った時間に設定する。
【００４５】
レベル判定接続切り替え部３１は、サーチ選局の判定条件としてＡＧＣレベル信号ａを使用するか否かを決定する。図２は、ＡＧＣレベル信号ａを使用する場合を示し、レベル判定信号ｆをそのまま放送波判定部２０に入力する。レベル判定接続切り替え部３１を切り替えると、レベル判定信号ｆは入力出来ず、“Ｈ”信号が入力される。
【００４６】
モード判定接続切り替え部３２は、サーチ選局の判定条件としてモード判定結果信号ｂを使用するか否かを決定する。その他は、レベル判定接続切り替え部３１と同様である。
【００４７】
周波数同期判定接続切り替え部３３は、サーチ選局の判定条件として周波数同期検出信号ｃを使用するか否かを決定する。その他は、レベル判定接続切り替え部３１と同様である。
【００４８】
ＣＰＵ１３は、デジタル放送受信装置全体を制御すると共に、ユーザの操作を解読して、放送波判定回路１２がサーチ選局するために必要な判定条件を設定するための放送波判定回路制御信号を生成し、放送波判定部２０へ送付する。又、放送波判定部２０から得た放送波検出信号ｇと、ＴＭＣＣ再生回路１１から得たＴＭＣＣフレーム同期検出信号ｅを用いて、同調の成功と失敗の判定をする。例えば、放送波検出信号ｇが“Ｈ”であれば受信は不可であると判定する。放送波検出信号ｇが“Ｌ”であり、ＴＭＣＣフレーム同期検出信号ｅが“Ｈ”であれば、受信が可能であると判定する。放送波検出信号ｇが“Ｌ”であり、ＴＭＣＣフレーム同期検出信号ｅも“Ｌ”であれば、現在選局動作を実行中であると判定する。
【００４９】
次に、各チャンネル(周波数帯域)に受信可能なデジタル放送波が存在するかチャンネルサーチする際の、本発明のデジタル放送受信装置の動作を説明する。以下では、地上波デジタルに割り当てられた周波数が、ＵＨＦ帯の１３〜６２チャンネルである場合で、１５チャンネルにアナログ放送波が、１６チャンネルにデジタル放送波が存在した場合を例として、説明する。
【００５０】
図３、図４に、第１実施例のチャンネルサーチ処理３００のフローチャートを示す。
【００５１】
図３、図４において、ＣＰＵ１３は、放送波判定部２０に対して放送波判定回路制御信号により選局をスタートしたことを知らせて、チャンネルサーチ処理プログラム３００をスタートさせる。
【００５２】
放送波判定部２０は、ＣＰＵ１３から放送波判定回路制御信号により選局をスタートしたことを知ると、放送波検出信号ｇが“Ｈ”となっていれば“Ｌ”に設定し直す。又、レベル判定接続切り替え部３１をレベル判定回路２１からの出力信号であるレベル判定信号ｆが放送波判定部２０に入力されるように、同様に、モード判定接続切り替え部３２、周波数同期判定接続切り替え部３３(及び周波数同期判定接続切り替え部３４)も、モード判定結果信号ｂと周波数同期検出信号ｃ(とタイミング同期検出信号ｄ)が放送波判定部２０に入力されるように切り替える。
【００５３】
続いて、放送波判定部２０は、最初に、チューナ１の選局チャンネル(周波数)として最初のチャンネル(１３チャンネル)を設定する(ステップＳ３０１)。次に、レベル判定用タイマー２６をスタートさせて(ステップＳ３０２)から、レベル判定信号ｆが“Ｈ”であるか否かを判定する(ステップＳ３０３)。レベル判定信号ｆが“Ｌ”である場合は、一定期間(ここでは例えば１０ｍｓとする)待った(ステップＳ３０４)後、レベル判定用タイマー２６からの出力信号が“Ｈ”か否かを判定する(ステップＳ３０５)ことにより、レベル判定期間がタイムアウト時間を経過したかどうか確認する。レベル判定用タイマー２６からの出力信号が“Ｈ”でない場合は、ステップＳ３０３へ戻ってステップＳ３０３以降の処理を繰り返す(１０ｍｓ間隔でレベル判定信号ｆのレベルを判定する)。最初の１３チャンネルの場合、放送波が存在せずＡＧＣレベル信号ａのレベルが最大となり、レベル判定回路２１からのレベル判定信号ｆは“Ｌ”のままであり、１００ｍｓが経過した後にレベル判定用タイマー２６からの信号が“Ｈ”となり、レベル判定のタイムアウト時間の経過を検出して、ステップＳ３１９へ進む。
【００５４】
ステップＳ３１９では、次のチャンネル周波数を設定してから、設定したそのチャンネルが最後の次のチャンネルか否かを判定する(ステップＳ３２０)。最後の次のチャンネルでないと判定した場合は、ステップＳ３０２に戻ってステップＳ３０２以降の処理を繰り返す(最後の次のチャンネルであると判定した場合は、サーチ選局の失敗として、放送波検出信号ｇを“Ｈ”にして(ステップＳ３２１)から、チャンネルサーチ処理を終了する)。１３チャンネルと１４チャンネルでは、デジタル放送波が存在しないので、１５チャンネルが設定されるまでは、以上述べた処理を繰り返す。１５チャンネルが設定されるとアナログ放送波が存在するので、レベル判定回路２１からのレベル判定信号ｆが“Ｈ”になり、ステップＳ３０３で“Ｈ”であると判定してステップＳ３０６へ進む。(第１段処理)  以上述べた処理(第１段処理)により、レベル判定信号ｆが“Ｈ”であれば直ぐにデジタル放送波が有ると、又レベル判定信号ｆが“Ｌ”である場合は、一定期間(ここでは１００ｍｓ)待ってデジタル放送波が存在しないと判断するので、ＴＭＣＣフレーム同期検出信号によりデジタル放送波の有無を判断する従来例と比較して、高速にデジタル放送波無しを判断出来る。例えば、ＴＭＣＣフレーム同期検出信号のタイムアウト時間を２秒と設定していれば(ＴＭＣＣ同期フレーム同期検出信号ｅを検出完了するまでに通常平均１秒かかり、最大値として２秒を要するとした場合)、デジタル放送波の有無を判断するためには２秒掛かるところが、レベル判定信号ｆのタイムアウト時間の１００ｍｓで終了することが出来る。
【００５５】
次に、放送波判定部２０は、ステップＳ３０６でモード判定用タイマー２７をスタートさせてから、モード判定結果回路２２からのモード判定結果信号ｂが“Ｈ”か否かを判定する(ステップＳ３０７)。“Ｈ”でない場合は、一定期間待った(ステップＳ３０８)後、モード判定用タイマー２７からの出力信号が“Ｈ”か否かを判定する(ステップＳ３０９)ことにより、モード判定期間がタイムアウト時間を経過したかどうか確認する。モード判定用タイマー２７からの出力信号が“Ｈ”でない場合は、ステップＳ３０７へ戻ってステップＳ３０７以降の処理を繰り返す。１５チャンネルの場合デジタル放送波が無いので、モード判定結果信号ｂが“Ｌ”のままであり、モード判定用タイマー２７に設定したタイムアウト時間後に、モード判定用タイマー２７からの信号が“Ｈ”となり、モード判定のタイムアウト時間の経過を検出して、ステップＳ３１９へ進む。ステップＳ３１９以降は、第１段処理と同様である。１５チャンネルにおいても、ノイズ等により誤ってモード判定結果回路２２からの信号が“Ｈ”となることがあり、ステップＳ３０７で“Ｈ”であると判定した場合には、ステップＳ３１０へ進む。(第２段処理)  以上述べた処理(第２段処理)により、モード判定用タイマー２７のタイムアウト時間を例えば１００ｍｓとした場合に、レベル判定用タイマー２６の１００ｍｓと合計して２０ｍｓで、デジタル放送波の有無を判定することが出来る。
【００５６】
次に、放送波判定部２０は、ステップＳ３１０で周波数同期判定用タイマー２８をスタートさせてから、周波数同期判定回路２３からの周波数同期検出信号ｃが“Ｈ”か否かを判定する(ステップＳ３１１)。“Ｈ”でない場合は、一定期間待った(ステップＳ３１２)後、周波数同期判定用タイマー２８からの出力信号が“Ｈ”か否かを判定する(ステップＳ３１３)ことにより、周波数同期判定期間がタイムアウト時間を経過したかどうか確認する。周波数同期判定用タイマー２８からの出力信号が“Ｈ”でない場合は、ステップＳ３１１へ戻ってステップＳ３１１以降の処理を繰り返す。１５チャンネルでは放送波がデジタル信号ではないので、周波数同期判定用タイマー２８に設定したタイムアウト時間内にはＡＦＣが収束せず、タイムアウト時間後に、周波数同期判定用タイマー２８からの信号が“Ｈ”であると判定し、周波数同期判定のタイムアウト時間の経過を検出して、ステップＳ３１９へ進む。ステップＳ３１９以降は、第１段処理と同様である。１６チャンネルでは放送波がデジタル信号であるので、ステップＳ３１１で周波数同期判定回路２３からの周波数同期検出信号ｃが“Ｈ”であると判定して、ステップＳ３１４へ進む。(第３段処理)
なお、本実施例では、サーチ選局の判定条件としてタイミング同期検出信号ｄを使用していないが、周波数同期検出信号ｃを用いた第３段処理と同様に、タイミング同期判定回路２４とタイミング同期判定用タイマー２９とタイミング同期判定接続切り替え部３４を用いて、一定期間にタイミング同期が検出出来るかを判定する処理を追加することも考えられる。タイミング同期検出信号ｄを使用することにより、仮に誤って周波数同期が検出された場合でも、デジタル放送波の有無が正しく判定することが出来る。(第４段処理)  次に、放送波判定部２０は、ステップＳ３１４でＴＭＣＣフレーム同期判定用タイマー３０をスタートさせてから、ＴＭＣＣフレーム同期判定回路２５からのＴＭＣＣフレーム同期検出信号ｅが“Ｈ”か否かを判定する(ステップＳ３１５)。“Ｈ”でない場合は、一定期間待った(ステップＳ３１６)後、ＴＭＣＣフレーム同期判定用タイマー３０からの出力信号が“Ｈ”か否かを判定する(ステップＳ３１７)ことにより、ＴＭＣＣフレーム同期判定期間がタイムアウト時間を経過したかどうか確認する。ＴＭＣＣフレーム同期判定用タイマー３０からの出力信号が“Ｈ”でない場合は、ステップＳ３１５へ戻ってステップＳ３１５以降の処理を繰り返す。１３チャンネル〜１５チャンネルでは放送波がデジタル信号ではないので、ＴＭＣＣフレーム同期判定用タイマー３０に設定したタイムアウト時間内にはＴＭＣＣフレーム同期検出信号ｅは存在しないので、タイムアウト時間後に、ＴＭＣＣフレーム同期判定用タイマー３０からの信号が“Ｈ”であると判定し、ＴＭＣＣフレーム同期判定のタイムアウトを検出して、ステップＳ３１９へ進む。ステップＳ３１９以降は、第１段処理と同様である。(第５段処理)
１６チャンネルの場合には、デジタル放送波が存在するので、ステップＳ３０３でレベル判定信号ｆが一定期間内に“Ｈ”であると判定され、ステップＳ３０７でモード判定も一定期間内に“Ｈ”であると判定され、ステップＳ３１１で一定期間内に周波数同期検出が完了して周波数同期検出信号ｃが“Ｈ”であると判定され、ステップＳ３１５で、ＴＭＣＣ同期が取れ、ＴＭＣＣフレーム同期判定回路２５からのＴＭＣＣフレーム同期検出信号ｅが“Ｈ”となり、放送波が有ることを検出して、ステップＳ３１８へ進む。ステップＳ３１８では、サーチ選局が成功したとして、放送波検出信号ｇを“Ｌ”にしてから、チャンネルサーチ処理を終了する。
【００５７】
以上述べたチャンネルサーチ処理を全チャンネルに渡って行っても、デジタル放送波が存在せずサーチ選局に失敗した場合は、サーチ選局が失敗したとして、ステップＳ３２１で放送波検出信号ｇを“Ｈ”にしてから、チャンネルサーチ処理を終了する。
【００５８】
以上述べた実施例では、デジタル放送波が存在してサーチ選局に成功した場合はチャンネルサーチ処理を終了したが、全チャンネルをサーチして終了するようにしても良い。
【００５９】
次に、以上述べた第１実施例のチャンネルサーチ処理３００の設定について、図５、図６を用いて説明する。図５、図６は、オン・スクリーン・ディスプレイＯＳＤを用いた表示画面におけるサーチモードの設定(１)、(２)のメニュー画面の表示例である。
【００６０】
図５において、サーチモードの設定(１)のサーチモードは、通常の速度でサーチする通常サーチモードと、高速でサーチする高速サーチモードと、低速でサーチする低速サーチモードがある。高速サーチモード、通常サーチモード、低速サーチモード、の何れかをクリックしてサーチモードを設定してからサーチ実行をクリックしてチャンネルサーチを行う。
【００６１】
通常サーチモードは、従来から知られているように、一定期間(例えば２秒)内にＴＭＣＣ同期がとれるかを判断するようにしてチャンネルサーチを行う。
【００６２】
高速サーチモードは、本発明の第１実施例のチャンネルサーチ処理３００でサーチを行う。
【００６３】
低速サーチモードは、本発明の第１実施例のチャンネルサーチ処理３００において、レベル判定用タイマー２６、モード判定用タイマー２７、周波数同期判定用タイマー２８(、タイミング同期判定用タイマー２９)、夫々のタイムアウト時間を高速サーチモードより長く設定するようにする。例えば、レベル判定用タイマー２６のタイムアウト時間を、１００ｍｓから２００ｍｓに変更して、検出時間を長くとるようにする。
【００６４】
又、高速サーチモードと低速サーチモードの設定として、チャンネルサーチ処理３００の第２段処理のモード判定を使用する場合、以下の方法がある。モード判定を行う場合では、伝送モードとガードインターバルの各組み合わせを変化させながら、伝送モードが検出出来るかどうかを検出するが、この検出を利用する。例えば、高速サーチモードの場合には検出回数を１回に設定し、低速サーチモードの場合は３回に設定することが考えられる。
【００６５】
図６において、サーチモードの設定(２)のサーチモードは、固定受信モードと移動受信モードがある。
【００６６】
固定受信モードは、部屋の中等で固定したアンテナにて受信する場合である。本発明の第１実施例のチャンネルサーチ処理３００でサーチを行う。
【００６７】
移動受信モードは、車等で移動しながら受信する場合や手に持って受信する携帯受信の場合である。この場合、フェージングの影響により、固定受信モードに比べてＡＧＣレベル信号ａの変動が大きく、ＡＧＣレベル信号ａによる放送波の有無の判定が難しいので、ＡＧＣレベル信号ａによる判定を除外するように設定する。除外は、レベル判定接続切り替え部３１を切り替えて行う。或いは、レベル判定用タイマー２６、モード判定用タイマー２７、周波数同期判定用タイマー２８(タイミング同期判定用タイマー２９)、ＴＭＣＣフレーム同期判定用タイマー３０、夫々のタイムアウト時間を、固定受信モードの場合に比較して長くとるようにすることも考えられる。
【００６８】
次に、第２実施例のチャンネルサーチ処理４００の動作を、図７、図８のフローチャートを用いて説明する。第２実施例のチャンネルサーチ処理４００は、チャンネルサーチを行い放送波の受信に成功したチャンネルを選局成功リストに記録するようにして、過去に選局成功したチャンネルをスキップし、新しく同調出来るチャンネルのみを選局動作をするようにする。このチャンネルサーチのモードを追加サーチモードという。
【００６９】
図７、図８において、ＣＰＵ１３は、放送波判定部２０に対して放送波判定回路制御信号により選局をスタートしたことを知らせて、チャンネルサーチ処理プログラム４００をスタートさせる。
【００７０】
放送波判定部２０は、ＣＰＵ１３から放送波判定回路制御信号により選局をスタートしたことを知ると、最初に、チューナ１の選局チャンネル(周波数)として最初のチャンネル(１３チャンネル)を設定する(ステップＳ４０１)。次に、そのチャンネルが選局成功リストに有るか否かを判定する(ステップＳ４０２)。選局成功リストに有ると判定した場合は、ステップＳ４２０へ進む。
【００７１】
そのチャンネルが選局成功リストに無いと判定した場合は、ステップＳ４０３へ進む。ステップＳ４０３〜ステップＳ４１８の処理は、チャンネルサーチ処理３００のステップＳ３０２〜ステップＳ３１７の処理と同一であるので、説明を省略する。(ステップＳ４０３〜ステップＳ４０６はステップＳ３０２〜ステップＳ３０５に、ステップＳ４０７〜ステップＳ４１０はステップＳ３０６〜ステップＳ３０９に、ステップＳ４１１〜ステップＳ４１４はステップＳ３１０〜ステップＳ３１３に、ステップＳ４１５〜ステップＳ４１８はステップＳ３１４〜ステップＳ３１７に、夫々対応する)
ステップＳ４０６、ステップＳ４１０、ステップＳ４１４、ステップＳ４１８、の何れかにおいてタイムアウト時間の経過を検出した場合は、ステップＳ４２０へ進む。
【００７２】
ステップＳ４１６で、ＴＭＣＣフレーム同期検出信号ｅが“Ｈ”であると判定し、デジタル放送波が存在することを検出してサーチ選局に成功した場合は、そのチャンネルを選局成功リストに追加して(ステップＳ４１９)からステップＳ４２０へ進む。
【００７３】
ステップＳ４２０では、次のチャンネル周波数を設定する。続いて、設定されているチャンネルが最後の次のチャンネルか否かを判定する(ステップＳ４２１)。最後の次のチャンネルでないと判定した場合は、ステップＳ４０２に戻ってステップＳ４０２以降の処理を繰り返す。最後の次のチャンネルであると判定した場合は、チャンネルサーチ処理４００を終了する。
【００７４】
ＣＰＵ１３は、チャンネルサーチを行う前に選局成功リストを用いることにより、受信可能なデジタル放送波を視聴することが出来る。
【００７５】
次に、以上述べた第２実施例のチャンネルサーチ処理４００を行う追加サーチモードの設定について、図９を用いて説明する。
【００７６】
図９において、サーチモードの設定(３)のサーチモードは、追加サーチモードと新規サーチモードがある。
【００７７】
新規サーチモードは、本発明の第１実施例のチャンネルサーチ処理３００でサーチを行う。
【００７８】
追加サーチモードは、本発明の第２実施例のチャンネルサーチ処理４００でサーチを行う。
【００７９】
本実施例では、ＡＧＣレベル信号、モード判定検出結果信号、周波数同期検出信号をアナログ信号としてアナログ処理しているが、これら信号をデジタル信号とし、レジスタを設けＣＰＵによりデジタル処理して、以上述べたと同様のサーチ選局判定が考えられる。
【００８０】
以上述べたように、本実施例によれば、アナログ放送信号やノイズ信号等による誤判定を防止し、デジタル放送波の有無を精度よく判定し、しかも効率よく高速で判定することが出来るという効果がある。
【図面の簡単な説明】
【００８１】
【図１】本発明のデジタル放送受信装置の構成を示す図である。
【図２】放送波判定回路１２の構成を示す図である。
【図３】チャンネルサーチ処理３００のフローチャート(その１)を示す図である。
【図４】チャンネルサーチ処理３００のフローチャート(その２)を示す図である。
【図５】サーチモードの設定(１)のメニュー画面の表示例を示す図である。
【図６】サーチモードの設定(２)のメニュー画面の表示例を示す図である。
【図７】チャンネルサーチ処理４００のフローチャート(その１)を示す図である。
【図８】チャンネルサーチ処理４００のフローチャート(その２)を示す図である。
【図９】サーチモードの設定(３)のメニュー画面の表示例を示す図である。
【符号の説明】
【００８２】
１：チューナ
２：Ａ／Ｄコンバータ
３：ＩＱ復調部
４：ＡＧＣ制御回路
５：ＧＩ除去回路
６：モード判定回路
７：ＡＦＣ回路
８：ＦＦＴ回路
９：同期再生回路１０
ＯＦＤＭフレームデコード部
１１：ＴＭＣＣ再生回路
１２：放送波判定回路
１３：ＣＰＵ
２０：放送波判定部
２１：レベル判定回路
２２：モード判定回路
２３：周波数同期判定回路
(２４：タイミング同期判定回路)
２５：ＴＭＣＣフレーム同期判定回路
２６：レベル判定用タイマー
２７：モード判定用タイマー
２８：周波数同期判定用タイマー
(２９：タイミング同期判定用タイマー)
３０：ＴＭＣＣフレーム同期判定用タイマー
３１：レベル判定接続切り替え部
３２：モード判定接続切り替え部
３３：周波数同期判定接続切り替え部
(３４：タイミング同期判定接続切り替え部)
ａ：ＡＧＣレベル信号
ｂ：モード判定結果信号
ｃ：周波数同期検出信号
ｄ：タイミング同期検出信号
ｅ：ＴＭＣＣフレーム同期検出信号
ｆ：レベル判定信号
ｇ：放送波検出信号
【図１】
2008109694.tif 000003
【図２】
2008109694.tif 000004
【図３】
2008109694.tif 000005
【図４】
2008109694.tif 000006
【図５】
2008109694.tif 000007
【図６】
2008109694.tif 000008
【図７】
2008109694.tif 000009
【図８】
2008109694.tif 000010
【図９】
2008109694.tif 000011